(57)【要約】【課題】顧客間での取引の決済を行うための取引システム及び取引情報通知装置並びに取引方法に関し、効率良く、決済を行うことができる取引システム及び取引情報通知装置並びに取引方法を提供することを目的とする。【解決手段】本発明の取引システムは、各顧客の振込情報を取得し、取得された振込情報に基づいて各顧客間の振込金額の差額を算出して、振込元に通知し、顧客間での取引の決済を行う構成とされている。【選択図】　図２
2004078596.tif 000002
【特許請求の範囲】
【請求項１】
各顧客の振込情報を取得する振込情報取得手段と、
前記振込情報取得手段で取得された振込情報に基づいて顧客間での差額の振込情報を算出する算出手段と、
前記算出手段で算出された差額の振込情報を振込元及び／又は振込先に通知する通知手段とを有することを特徴とする取引管理システム。
【請求項２】
前記算出手段は、所定の期間毎に前記差額を加算した振込情報を算出し、
前記通知手段は、前記所定の期間毎に前記振込情報を前記振込元及び／又は振込先に通知することを特徴とする請求項１記載の取引管理システム。
【請求項３】
前記通知手段は、前記算出手段で算出された差額が所定の額となったときに、前記振込元及び／又は振込先に振込みを行う旨の通知を行うことを特徴とする請求項１記載の取引管理システム。
【請求項４】
所定の取引先との取引情報を取得する情報取得手段と、
前記情報取得手段で取得した前記取引情報に基づいて前記取引先との取引金額の差額を算出し、前記差額に基づいて前記取引先との取引をシミュレートするシミュレート手段とを有することを特徴とする取引管理システム。
【請求項５】
過去に行われた取引の結果に基づいてシミュレートする取引先を決定する取引先決定手段を有することを特徴とする請求項４記載の取引管理システム。
【請求項６】
各顧客の振込情報を取得し、取得された振込情報に基づいて顧客間での差額の振込情報を算出する取引管理システムと、
前記取引管理システムで算出された取引金額の差額に基づいて顧客間での決済を行う決済システムとを有することを特徴とする取引システム。
【請求項７】
各顧客の取引情報を取得する取引情報取得手順と、
前記取引情報取得手順で取得された取引情報に基づいて各顧客間での取引金額の差額を算出する算出手順と、
前記振込情報算出手順で算出された取引金額の差額を通知する通知手順とを有することを特徴とする取引方法。
【発明の詳細な説明】
【０００１】
【発明の属する技術分野】
本発明は、取引システム及び取引情報通知装置並びに取引方法に係り、特に、顧客間での取引の決済を行うための取引システム及び取引情報通知装置並びに取引方法に関する。
【０００２】
【従来の技術】
図１は従来の取引システムの一例のシステム構成図を示す。
【０００３】
従来の取引システム１は、金融取引システムであり、決済システム１１、端末装置１２、ネットワーク１３を含む構成とされている。決済システム１１は、例えば、コンピュータシステムであり、金融機関２１により運用管理され、顧客Ａの預金、振込み、引き出しなどを管理する。端末装置１２は、例えば、コンピュータシステムであり、ネットワーク１３を介して取引システム１に認証情報及び振込み金額などの情報取引情報を指示する。
【０００４】
従来の取引システム１では、各顧客各々が端末装置１２から各顧客の口座がある金融機関２１から振込先の口座がある金融機関２１に振込む指示を行うことにより、金融取引を行っていた。
【０００５】
このとき、例えば、顧客Ａから顧客Ｂに１００万円を振り込む取引があり、顧客Ｂから顧客Ａに２００万円の振り込む取引がある場合、顧客Ａが顧客Ｂに対して１００万円を振り込む指示を顧客Ａが口座をもつ金融機関２１に対して行い、かつ、顧客Ｂが顧客Ａに対して２００万円を振り込む指示を顧客Ｂが口座をもつ金融機関２１に対して行う。
【０００６】
【発明が解決しようとする課題】
しかるに、従来の取引システムでは、顧客間の取引において相互に取引のある顧客が互いに振込みを行う場合、両方の顧客が各々相手の口座に振込みを行っていたため、取引の効率が悪いなどの問題点があった。
【０００７】
本発明は上記の点に鑑みてなされたもので、効率良く、決済を行うことができる取引システム及び取引情報通知装置並びに取引方法を提供することを目的とする。
【０００８】
【課題を解決するための手段】
本発明の取引管理システムは、各顧客の振込情報を取得する振込情報取得手段と、振込情報取得手段で取得された振込情報に基づいて顧客間での差額の振込情報を算出する算出手段と、算出手段で算出された差額の振込情報を振込元及び／又は振込先に通知する通知手段とを有することを特徴とする。
【０００９】
本発明によれば、各顧客の振込情報を取得し、取得した振込情報に基づいて顧客間での差額の振込情報を算出し、算出された差額の振込情報を振込元及び／又は振込先に通知することにより、顧客間の振込み回数を低減でき、よって、取引にかかる手数料を軽減できる。
【００１０】
また、本発明の取引管理システムは、所定の取引先との取引情報を取得した取引情報に基づいて取引先との取引金額の差額を算出し、差額に基づいて取引先との取引をシミュレートすることを特徴とする。
【００１１】
本発明によれば、所定の取引先との取引情報を取得した取引情報に基づいて取引先との取引金額の差額を算出し、差額に基づいて取引先との取引をシミュレートすることにより、予め顧客間の振込み金額をシミュレートできるため、取引にかかる手数を軽減できる。
【００１２】
【発明の実施の形態】
図２は本発明の一実施例のシステム構成図を示す。同図中、図１と同一構成部分には同一符号を付し、その説明は省略する。
【００１３】
本実施例の取引システム１００は、金融取引システムであり、図１に示す取引システム１に、振込情報管理システム１１０を含めた構成とされている。
【００１４】
振込情報管理システム１１０は、振込情報管理センタ１１１に設置されている。振込情報管理センタ１１１には、顧客Ａ、Ｂ及び金融機関２１が予め登録されている。
【００１５】
振込情報管理システム１１０は、決済日になると、各顧客の振込情報を取得し、取得された振込情報に基づいて各顧客間でのトータルの振込情報を算出し、算出されたトータルの振込情報を前記決済システムに通知するシステムである。
【００１６】
図３は振込情報管理システム１１０のブロック図を示す。
【００１７】
振込情報管理システム１１０は、通信部１２１、処理部１２２、プログラムファイル１２３、振込情報データベース１２４を含む構成とされている。
【００１８】
通信部１２１は、ネットワーク１３を介して決済システム１１及び端末装置１２との通信制御を行うものである。また、処理部１２２は、プログラムファイル１２３に記憶された振込情報管理プログラムに基づいて振込情報データベース１２４からデータを読み出し、顧客間の振込金額の差額を算出し、顧客Ａ、Ｂ及び金融機関２１に通知する。
【００１９】
図４は振込情報データベース１２４のデータ構成図を示す。
【００２０】
振込情報データベース１２４は、顧客毎にそのＩＤ、パスワード、振込先情報、振込予定金額などの情報がデータベース化された構成とされている。
【００２１】
振込情報データベース１２４を参照することにより各顧客の振込先、振込予定金額を知ることができる。顧客相互の振込先と振込予定金額を知ることにより、相互間での差額を算出できる。
【００２２】
振込情報管理プログラムは、振込情報取得機能、算出機能、通知機能を有する。振込情報取得機能は、振込情報データベース１２４を参照して、顧客間の振込情報を取得する機能である。
【００２３】
算出機能は、振込情報取引機能で取得された振込情報に基づいて顧客毎の振込情報を算出する機能である。算出機能では、例えば、第１の顧客から第２の顧客への振込情報と第２の顧客から第１の顧客への振込情報との差額の情報が算出される。
【００２４】
通知機能は、算出機能で算出された顧客毎の振込情報を通知部顧客及び金融機関に通知する機能である。
【００２５】
図５は振込情報管理プログラムの処理フローチャートを示す。
【００２６】
振込情報管理システム１１０の処理部１２２は、ステップＳ１−１で決済日になると、ステップＳ１−２で振込情報データベース１２４を参照して、顧客の振込情報を読み取る。処理部１２２は、ステップＳ１−３で振込情報に基づいて顧客間の振込額の差額を算出する。処理部１２２は、ステップＳ１−４で、算出した差額を各顧客及び取引金融機関に通知する。
【００２７】
次に決済システム１１について詳細に説明する。
【００２８】
図６は決済システム１１のブロック構成図を示す。
【００２９】
決済システム１１は、通信部１３１、処理部１３２、プログラムファイル１３３、顧客データベース１３４を含む構成とされている。
【００３０】
通信部１３１は、振込情報管理システム１１０との通信制御を行う。処理部１３２は、プログラムファイル１３３に記憶された決済処理プログラムに基づいて決済処理を実行する。顧客データベース１３４には、口座を持つ顧客のＩＤ、パスワード、残高などの情報がデータベース化されている。
【００３１】
図７は顧客データベース１３４のデータ構成図を示す。
【００３２】
顧客データベース１３４は、顧客名、ＩＤ、パスワード、残高などの情報がデータベース化された構成とされている。
【００３３】
金融機関２１は、顧客データベース１３４を参照することにより顧客の認証及び振込み可能か否かを判定できる。
【００３４】
図８は、決済システム１１の処理フローチャートを示す。
【００３５】
決済システム１１の処理部１３２は、ステップＳ２−１で振込情報管理システム１１０からの振込情報を受信すると、ステップＳ２−２で振込元の認証処理を行う。認証処理は、顧客情報データベース１２４を参照し、振込元の振込情報に付与されたＩＤ及びパスワードに基づいて認証を行う。
【００３６】
処理部１３２は、ステップＳ２−３で振込元が承認されると、ステップＳ２−４で振込処理が行われる。振込処理は、振込情報管理システム１１０からの振込情報により、振込元から振込先に対して差額を振り込む処理である。
【００３７】
図９は振込処理の処理フローチャートを示す。
【００３８】
振込処理で、まず、処理部１３２はステップＳ３−１で振込元の残高を参照する。処理部１３２は、ステップＳ３−２で振込元の残高が振込予定金額より大きいか否かを判定する。処理部１３２は、ステップＳ３−２で振込元の残高が振込予定金額より大きければ、振込先に振込予定金額を振込み可能であるので、振込先に対して差額を振り込む。
【００３９】
また、処理部１３２は、ステップＳ３−３で振込元の残高が振込予定金額より小さければ、残高から振込予定金額を振込先に振り込むことはできないので、ステップＳ３−４で振込元に対して残高不足である旨の通知を行う。
【００４０】
また、処理部１３２は、ステップＳ３−５で、金融機関２１の営業部門に残高不足である旨の通知を行う。金融機関２１の営業部門は、残高不足である旨の通知により振込元に対して貸借の申し出を行うことができる。
【００４１】
このように本実施例によれば、顧客間で互いに振込みを行う必要がなく、差額を振込元から振込先に振り込む、いわゆる、差額決済を行うので、互いに振込みを行う必要がなく、よって、決済を効率よく行うことができる。
【００４２】
例えば、図４に示す顧客Ａと顧客Ｂとの取引では、顧客Ａは顧客Ｂに対して「１００万円」振り込む予定となっており、顧客Ｂは顧客Ａに対して「２００万円」振り込むことになっている。この場合、本実施例では、顧客Ａと顧客Ｂとの差額「１００万円」を顧客Ｂから顧客Ａに振り込むことになる。
【００４３】
これによって、顧客Ａから顧客Ｂへの振り込みと、顧客Ｂから顧客Ａへの振り込むとの２回の振り込みが必要なところを顧客Ｂから顧客Ａへの１回の振込みで取引を完了することができる。よって、振り込みの手数を軽減でき、効率化を図ることができる。
【００４４】
なお、本実施例では、振込情報管理センタ１１１から金融機関２１に対して振込情報を通知していたが、金融機関２１に無関係に顧客にのみ通知し、金融機関２１への振込みは、顧客が行うようにしてもよい。すなわち、顧客間での振込みをシミュレートして、シミュレート結果を顧客に通知し、顧客はシミュレート結果に基づいて振込みを行うようにしてもよい。
【００４５】
図１０は本発明の他の実施例の動作説明図を示す。
【００４６】
ステップＳ４−１で顧客Ａ、Ｂが端末装置１２から振込情報を振込情報管理センタ１１１の振込情報管理システム１１０に送信する。振込情報管理センタ１１１は、決済日になるとステップＳ４−２で顧客Ａと顧客Ｂとの間での取引金額の差額を振込情報として顧客Ａ、Ｂに通知する
振込情報の結果、顧客Ａが顧客Ｂに振込みを行う結果であった場合、ステップＳ４−３で金融機関１２ａに顧客Ａの口座から顧客Ｂの口座に差額の振込み依頼する。
【００４７】
金融機関２１ａは、金融機関２１ｂの顧客Ｂの口座に差額分の金額を振り込む。これによって、金融機関２１ａの顧客Ａの口座から金融機関２１ｂの顧客Ｂの口座に差額分を振り込む、１回の金融取引で取引を完了させることが可能である。
【００４８】
なお、このとき、すべての取引先との取引をシミュレートするのではなく、過去に行われた取引の結果に基づいてシミュレートする取引先を決定するようにしてもよい。例えば、取引金額の大きい取引先の上位数社との取引をシミュレートして顧客に通知するようにする。これによって、処理の負担を軽減できる。
【００４９】
このとき、本実施例によれば、振込情報管理センタ１１１と金融機関２１ａ、２１ｂとを完全に独立した機関とすることができる。よって、振込情報管理センタ１１１に登録していない金融機関２１に対しても容易に適用可能である。
【００５０】
なお、上記実施例では、金融取引を例に説明を行ったが、金融取引に限定されるものではなく、ポイントによる取引などを行う場合にも適用することも可能である。
【００５１】
また、差額が所定の額となったときに、振込元及び／又は振込先に振込みを行う旨の通知を行うようにしてもよい。
【００５２】
図１１は、本発明の第３実施例の動作説明図を示す。
【００５３】
ステップＳ４−１で所定の顧客に対する振込情報が通知されると、ステップＳ４−２でその顧客の振込情報の差額を算出する。次にステップＳ４−３で差額の総計がその顧客に予め設定された所定の額に達したか否かを判定する。所定の額は、顧客が予めセンタに設定している担保の額に応じて設定される。
【００５４】
ステップＳ４−３で差額の総計が所定の額に達した場合には、ステップＳ４−４で顧客に対して取引先に対して差額の支払いを行う旨の通知を行う。また、ステップＳ４−３で差額が所定の額に達していなければ、顧客に支払い通知は行わずに処理を終了する。なお、このとき、現在の差額を通知するようにしてもよい。
【００５５】
本実施例によれば、顧客は差額が所定の額になったときに支払いを行えばよいので、顧客の支払い能力に応じた額に達するまでは、支払いを行わずに済むので、経営を圧迫するような支払いを行わずに済む。また、金融機関との取引回数を低減できる。
【００５６】
【発明の効果】
上述の如く、本発明によれば、各顧客の振込情報を取得し、取得した振込情報に基づいて顧客間での差額の振込情報を算出し、算出された差額の振込情報を振込元及び／又は振込先に通知することにより、顧客間の振込み回数を低減でき、よって、取引にかかる手数料を軽減できる。
【００５７】
また、本発明によれば、所定の取引先との取引情報を取得した取引情報に基づいて取引先との取引金額の差額を算出し、差額に基づいて取引先との取引をシミュレートすることにより、予め顧客間の振込み金額をシミュレートできるため、取引にかかる手数を軽減できる。
【図面の簡単な説明】
【図１】従来の取引システムの一例のシステム構成図である。
【図２】本発明の一実施例のシステム構成図である。
【図３】振込情報管理システム１１０のブロック図である。
【図４】振込情報データベース１２４のデータ構成図である。
【図５】振込情報管理プログラムの処理フローチャートである。
【図６】決済システム１１のブロック構成図である。
【図７】顧客データベース１３４のデータ構成図である。
【図８】決済システム１１の処理フローチャートである。
【図９】振込処理の処理フローチャートである。
【図１０】本発明の他の実施例の動作構成図である。
【図１１】本発明の第３実施例の動作説明図である。
【符号の説明】
１１　決済システム、１２　端末装置
１３　ネットワーク
１００、２００　取引システム、１１１　振込情報管理システム
１２１　通信部、１２２　処理部、１２３　プログラムファイル
１２４　振込情報データベース
１３１　通信部、１３２　処理部、１３３　プログラムファイル
１３４　顧客データベース
【図１】
2004078596.tif 000003
【図２】
2004078596.tif 000004
【図３】
2004078596.tif 000005
【図４】
2004078596.tif 000006
【図５】
2004078596.tif 000007
【図６】
2004078596.tif 000008
【図７】
2004078596.tif 000009
【図８】
2004078596.tif 000010
【図９】
2004078596.tif 000011
【図１０】
2004078596.tif 000012
【図１１】
2004078596.tif 000013